(57)【要約】      （修正有）【課題】１．洗面ボウルを一体的に構成することができる２．洗面ボウルを形成時に熟練や手間が必要ない３．遠隔操作式排水栓装置を洗面ボウルに採用しても、洗面化粧台の収納部分の無駄にならない、の３点を解決する。【解決手段】内部に水を貯水／排水する槽体１と、槽体１底部に槽体１内部の排水を下水側へと排水するために開口された排水口２と、前記排水口２から下水へと排水させるための流路としての排水管３と、槽体１上方へ向けて開口され、槽体１内の排水をオーバーフローさせるために開口されたオーバーフロー孔４と、前記オーバーフロー孔４からの排水を下水側へと排水するため、オーバーフロー孔４に対して垂直方向に配置されるオーバーフロー流路５と、前記排水管３にオーバーフロー流路５を合流させる合流部６と、から構成されることを特徴とする洗面ボウルとした。【選択図】図３
2007255024.tif 000002
【特許請求の範囲】
【請求項１】
内部に水を貯水／排水する槽体１と、
槽体１底部に槽体１内部の排水を下水側へと排水するために開口された排水口２と、
前記排水口２から下水へと排水させるための流路としての排水管３と、
槽体１上方へ向けて開口され、槽体１内の排水をオーバーフローさせるために開口されたオーバーフロー孔４と、
前記オーバーフロー孔４からの排水を下水側へと排水するため、オーバーフロー孔４に対して垂直方向に配置されるオーバーフロー流路５と、
前記排水管３にオーバーフロー流路５を合流させる合流部６と、
から構成されることを特徴とする洗面ボウル。
【請求項２】
前記槽体１、排水口２、排水管３、オーバーフロー孔４、オーバーフロー流路５、合流部６、を、一体的に構成したことを特徴とする前記請求項１に記載の洗面ボウル。
【請求項３】
前記排水管３を側面方向へ屈曲させ、該屈曲部分７の下方を前記排水口２を開閉させるための遠隔操作式排水栓装置１２を配置する収納スペース８としたことを特徴とする請求項１又は請求項２に記載の洗面ボウル。
【請求項４】
前記排水管３に、内部に封水機能を備える排水トラップ９を接続することを特徴とする請求項１乃至請求項３のいずれか一つに記載の洗面ボウル。
【請求項５】
前記排水管３の下端を通水下限壁１１とし、排水トラップ９の流出口を通水上限壁１０とする排水トラップ９を採用したことを特徴とする請求項４に記載の洗面ボウル。
【発明の詳細な説明】
【技術分野】
【０００１】
本発明は、手洗い器や洗面ボウル等に関するものである。
【背景技術】
【０００２】
従来よく知られた、洗面ボウルとしては、例えば図９乃至図１０に図示した洗面ボウルがある。以下に図９又は図１０に図示した洗面ボウルの従来例１を、図面を参照しつつ説明する。
図９又は図１０に図示した従来例１の洗面ボウルは、以下に記載した槽体と、排水口と、オーバーフロー孔と、から成り、その他の部材として、オーバーフロー流路と、合流部と、排水栓と、排水トラップと、より構成されてなる。
槽体は、内部に排水を貯水／排水させるためのボウルであり、当該従来例ではその素材を人工大理石によりインジェクション成形により構成してなる。
排水口は、槽体の底部に開口された穴であって、当該排水口から槽体内の排水を下水へと排水させるための開口である。尚、後述する排水栓を当該排水口に配置して構成する。
オーバーフロー孔は、槽体の上部に開口した穴であって、槽体内の排水が槽体からあふれることを防止するための開口を有し、後述するオーバーフロー流路を端部に接続して構成される部材である。
オーバーフロー流路は、端部をオーバーフロー孔に接続される流路であって、可撓管により構成され、槽体に沿うように配置される。
排水栓は、槽体の排水口に取り付けられる部材であって、円筒状であって、上端部に外方向に凸出して構成されるフランジを備え、下端外周に雄ねじを構成し、外周面の一部を開口させて構成される。
排水管は、排水栓下端に接続され、下水へと接続して槽体内の排水を最終的に下水へと排水する為の管体である。
合流部は、図１０に示したように、オーバーフロー孔及びオーバーフロー流路からの排水を排水栓から排水管へと合流させる部材で、排水栓の外周に配置される。
排水トラップは、下水からの臭気や害虫が室内側へ逆流しないように機能し、当該従来例においては、排水管の途中に配置され、当該排水管の管体をＵ字状に屈曲させて内部に封水機能を備えるように構成されてなる。
【０００３】
前記のように構成された洗面ボウルは、以下の手順で施工される。
槽体を壁面や化粧台に取り付け、オーバーフロー孔にオーバーフロー流路を接続する。また、オーバーフロー流路には予め合流部を接続しておく。
そして、槽体の排水口に排水栓のフランジを係止させて、合流部を槽体裏面側から排水栓の外周に配置し、更にその下方からナットなどで螺合させることで、槽体の排水口に対し排水栓のフランジとナットで挟み込むように取り付け固定する。その後、排水栓に排水管槽体裏面からナットで螺合させ、フランジとナットで挟み込むように取り付け固定し、その後排水栓に排水管を接続し、排水管の途中位置に排水トラップを構成させて排水管を最終的には下水管へ接続させることで施工が完了する。
【０００４】
また、上記のように施工・構成された洗面ボウルは、以下のような排水の経路となる。
槽体内の排水は、排水口から排水され、排水口に位置する排水栓内を通過し、排水管、排水トラップを経由して最終的には下水へと排水される。
また、槽体内の排水の一部は、オーバーフロー孔から排水されるが、当該排水の流れは以下のように排水される。オーバーフロー孔に流入した排水は、オーバーフロー流路内を通過し、合流部に到達する。合流部から排水栓内へ流入し、その後排水栓から排水管内へ、そして排水トラップを経由して最終的には下水管へと排水される。
【０００５】
また、この他の従来例として、図１１に記載したような陶器製の洗面ボウルの場合がある（以下従来例２とする）。
この洗面ボウルは、以下に記載した槽体と、排水口と、オーバーフロー孔と、オーバーフロー流路と、合流部と、から成り、その他の部材として、排水栓と、排水トラップと、より構成されてなる。
槽体は、内部に排水を貯水／排水させるためのボウルであり、当該従来例ではその素材を陶器の鋳込み成形により構成してなる。
排水口は、槽体の底部に開口された穴であって、当該排水口から槽体内の排水を下水へと排水させるための開口である。尚、後述する排水栓を当該排水口に配置して構成する。
オーバーフロー孔は、槽体の上部に開口した穴であって、槽体内の排水が槽体からあふれることを防止するための開口を有し、後述するオーバーフロー流路を連設して構成される。
オーバーフロー流路は、オーバーフロー孔に連設される流路であって、前記槽体に一体的に構成されるとともに槽体に沿うように配置される。
合流部は、オーバーフロー孔及びオーバーフロー流路からの排水を後記する排水栓から排水管へと合流させる箇所で、排水栓の外周付近の位置に形成される。
排水栓は、槽体の排水口に取り付けられる部材であって、円筒状であって、上端部に外方向に凸出して構成されるフランジを備え、下端外周に雄ねじを構成し、外周面の一部を開口させて構成される。
排水管は、排水栓下端に接続されて最終的には下水へと接続して槽体内の排水を最終的には下水へと排水する為の管体である。
排水トラップは、下水からの臭気や害虫が室内側へ逆流しないように機能し、当該従来例においては、排水管の途中に配置され、当該排水管の管体をＵ字状に屈曲させて内部に封水機能を備えるように構成されてなる。
【０００６】
このような陶器製の鋳込み成形洗面ボウルは、以下のように形成される。
石膏で洗面ボウルの鋳込み成形用型を形成し、そこに天然の土と石を粉砕・混合して作られる水分を含んで流動性を含んだ泥漿を流し込む。
石膏型に泥漿を注入すると、吸水性のある石膏が泥漿中の水分を吸収する為、石膏に接している面の水分が減少して固まり、時間と共に厚みを増す。一定時間後、適当な厚みになったところで固まっていない泥漿を排出して素地を石膏型から取り出す。また、洗面ボウルは概して複雑な形状のものが多い為に、幾つかの部分に分けて鋳込み成形し、あとで接合して形を完成させる事もある。
石膏型から取り出した時の素地の水分は約２０％で、この水分が完全になくなるまで乾燥させ、その後、洗面ボウルの表面に釉薬を施す。これは素地の表面を薄いガラスで覆うことによって、美感を高めたり、吸水性を防ぎ強度を高め、さらには耐酸、耐アルカリ性を高めるために塗布される。
【０００７】
前記のように構成・形成された洗面ボウルは、以下の手順で施工される。
槽体を壁面や化粧台に取り付け、槽体の排水口に排水栓のフランジを係止させて、合流部を槽体裏面側から排水栓の外周に配置し、更にその下方からナットなどで螺合させることで、槽体の排水口に対し排水栓のフランジとナットで挟み込むように取り付け固定する。その後、排水栓に排水管槽体裏面からナットで螺合させ、フランジとナットで挟み込むように取り付け固定し、更に排水栓に排水管を接続し、排水管の途中位置に排水トラップを構成させて排水管を最終的には下水管へ接続させることで施工が完了する。
【０００８】
また、上記のように施工・構成された洗面ボウルは、以下のような排水の経路となる。
槽体内の排水は、排水口から排水され、排水口に位置する排水栓内を通過し、排水管、排水トラップを経由して最終的には下水へと排水される。
また、槽体内の排水の一部は、オーバーフロー孔から排水されるが、当該排水の流れは以下のように排水される。オーバーフロー孔に流入した排水は、オーバーフロー流路内を通過し、合流部に到達する。合流部から排水栓内へ流入し、その後排水栓から排水管内へ、そして排水トラップを経由して最終的には下水管へと排水される。
【０００９】
また、前記従来例１及び従来例２の排水装置は、場合によっては以下に記載するような遠隔操作式排水栓装置を用いることがあった（以下、従来例３とする）。
本従来例での遠隔操作式排水栓装置は図１２に示すように、弁体と、操作部と、レリースワイヤと、レリースワイヤの進退のロック／ロック解除を行う機構部と、から構成される。
弁体は、上記排水栓の排水口を閉口する部材であって、後述するレリースワイヤを上下動することによって、排水口を開口／閉口する。
操作部は洗面台や浴槽などのカウンターなど、任意の部分に配置される部材であって、操作ボタンを押し込む事で機構部（図示せず）を動作させ、排水口を開口した状態に固定／固定を解除して排水口を閉口などの動作を行う部材である。
レリースワイヤは、アウターチューブ、インナーワイヤ、ロッド部から構成される。
アウターチューブは、円筒状にして側面方向に可撓性を備え、軸方向に剛性を備える。
インナーワイヤは、前記アウターチューブ内に摺動自在に収納され、側面方向に可撓性を備え、軸方向に剛性を備えた金属線のスプリング形状に巻いて構成されたインナーワイヤと、から構成されて成る。また、インナーワイヤの端部には、形状に相違はあるものの、他の部材との接続を行うために棒状の合成樹脂から成るロッド部を固定して備えられ、前記弁体に連絡して構成される。
機構部は、前記レリースワイヤのインナーワイヤの進退をロック／ロック解除する機構であって、本実施例では図示しないが、公知であるノック式ボールペンなどのロック／ロック解除に用いられるスラストロック機構を採用している。
【００１０】
前記した遠隔操作式排水栓装置は前記した洗面ボウルに以下のように配置される。
弁体は、洗面ボウルの排水口、具体的には排水栓に配置され、その直下に機構部を配置する。そして、当該機構部を常時排水に晒さないようにジャバラ型パッキンを介装して配置する。そして、機構部に接続されて排水管直下から外部に配置され、操作部まで接続されたレリースワイヤを配置する。このように遠隔操作式排水栓装置は配置される。
【００１１】
前記した洗面ボウルに取り付けられた遠隔操作式排水栓装置は以下のように作動する。
弁体が下降（排水口が閉口）した状態の時、操作部を押すと、レリースワイヤのインナーワイヤが前進し、当該インナーワイヤの前進と併せてインナーワイヤ先端のロッド部も前進する。
このとき、機構部のスラストロックが作動し、インナーワイヤの前進をロックする。そして、インナーワイヤが前進した分ロッド部に押し上げられる弁体も上昇し、機構部がインナーワイヤをロックしている間は弁体の上昇（排水口が開口）が保持される。
そして、再度操作部を押すと、インナーワイヤが再度少しだけ前進し、機構部のスラストロックのインナーワイヤに対するロックを解除する。そして、ロックが解除されたインナーワイヤは後退し、元の位置まで戻り、当該インナーワイヤの後退に併せてロッド部が後退する。そこで、弁体は自重により下降（排水口が閉口）することができる。
この作動の繰り返しにより、排水口の開口／閉口を遠隔的に操作することができる。
【００１２】
【特許文献１】実開昭６１−５４０７２号公報
【特許文献２】実開昭６２−３８９７６号公報
【特許文献３】特開２００１−１５２５０５号公報
【発明の開示】
【発明が解決しようとする課題】
【００１３】
従来例のような洗面ボウルには、以下のような問題点があった。
従来例１の洗面ボウルでは、洗面ボウル自体を人工大理石でインジェクション成形して構成しているが、洗面ボウル自身のみを一体成形しているので、オーバーフロー流路、排水栓、合流部、排水管、排水トラップまでをそれぞれ別体に構成しなければならない。
このように別体に構成すれば、当然に部材点数が増加するので、コストアップとなっていた。
また、部材点数が増加するということは、洗面ボウルを取り付け施工をする際に、その部材点数分、作業工程が増加し、施工する際に非常に手間になっていた。
従来例２の洗面ボウルでは、洗面ボウルとオーバーフロー流路を一体的に構成することが出来るが、石膏型の形状が複雑であること、洗面ボウルの形状的に石膏型が複数個必要になることが多い上、最終的にはパーツ接合などの作業も行わなければならないし、そして乾燥作業や釉薬の塗布など、その作業に相当な熟練と手間が必要となっていた。
また、従来の洗面ボウルに使用される遠隔操作式排水栓装置では、排水口の直下位置にレリースワイヤを挿通・配置することが多く、洗面ボウル下の、バケツなどを収納する収納部分が当該遠隔操作式排水栓装置のレリースワイヤにより無駄な空間が発生する可能性があった。
【００１４】
従って、本発明の洗面ボウルは、以下の課題を解決するために発明された。
１．洗面ボウルを一体的に構成することができること
２．洗面ボウルを形成時に熟練や手間が必要ないこと
３．遠隔操作式排水栓装置を洗面ボウルに採用しても、洗面化粧台の収納部分の無駄にならないこと
【課題を解決するための手段】
【００１５】
請求項１に記載の本発明は、内部に水を貯水／排水する槽体１と、槽体１底部に槽体１内部の排水を下水側へと排水するために開口された排水口２と、前記排水口２から下水へと排水させるための流路としての排水管３と、槽体１上方へ向けて開口され、槽体１内の排水をオーバーフローさせるために開口されたオーバーフロー孔４と、前記オーバーフロー孔４からの排水を下水側へと排水するため、オーバーフロー孔４に対して垂直方向に配置されるオーバーフロー流路５と、前記排水管３にオーバーフロー流路５を合流させる合流部６と、から構成されることを特徴とする洗面ボウルである。
【００１６】
請求項２に記載の本発明は、前記槽体１、排水口２、排水管３、オーバーフロー孔４、オーバーフロー流路５、合流部６、を、一体的に構成したことを特徴とする前記段落００１５に記載の洗面ボウルである。
【００１７】
請求項３に記載の本発明は、前記排水管３を側面方向へ屈曲させ、該屈曲部分７の下方を前記排水口２を開閉させるための遠隔操作式排水栓装置１２を配置する収納スペース８としたことを特徴とする前記段落００１５又は段落００１６に記載の洗面ボウルである。
【００１８】
請求項４に記載の本発明は、前記排水管３に、内部に封水機能を備える排水トラップ９を接続することを特徴とする段落００１５乃至００１７のいずれか一つに記載の洗面ボウルである。
【００１９】
請求項５に記載の本発明は、前記排水管３の下端を通水下限壁１１とし、排水トラップ９の流出口を通水上限壁１０とする排水トラップ９を採用したことを特徴とする前記段落００１８に記載の洗面ボウルである。
【発明の効果】
【００２０】
本発明の洗面ボウルは、以下の効果を奏する。
請求項１に記載の本発明は、洗面ボウルを、槽体１上方へ向けて開口され、槽体１内の排水をオーバーフローさせるために開口されたオーバーフロー孔４と、前記オーバーフロー孔４からの排水を下水側へと排水するため、オーバーフロー孔４に対して垂直方向に配置されるオーバーフロー流路５と、前記排水管３にオーバーフロー流路５を合流させる合流部６と、から構成し、更に、洗面ボウルのオーバーフロー孔４を上方に向けて構成したことで、金型１５によるインジェクション成形でもオーバーフロー孔４及びオーバーフロー流路５を洗面ボウルと一体に成形できるようになった。
請求項２に記載の本発明は、前記槽体１、排水口２、排水管３、オーバーフロー孔４、オーバーフロー流路５、合流部６、を、一体的に構成したことから、従来の洗面ボウルと比較して、部材点数を減少することが出来、部材点数減によるコストダウンを行うことができるし、更には、洗面ボウル取付の省施工となり、作業者にとっての手間が少なくなる。
請求項３に記載の本発明は、前記排水管３を側面方向へ屈曲させ、該屈曲部分７の下方を前記排水口２を開閉させるための遠隔操作式排水栓装置１２を配置する収納スペース８としたことから、遠隔操作式排水栓装置１２の配置スペースに起因する収納スペース８の無駄を排除することができる。
請求項４に記載の本発明は、前記排水管３に、内部に封水機能を備える排水トラップ９を接続したことから、洗面ボウルに排水トラップ９機能を付与することが出来る。
請求項５に記載の本発明は、前記排水管３の下端を通水下限壁１１とし、排水トラップ９の流出口を通水上限壁１０とする排水トラップ９を採用したことから、Ｕ字状排水トラップ９と比較して洗面化粧台の収納部分の増大を図ることができる。
【実施例】
【００２１】
以下に本発明の第一実施例を、図面を参照しつつ説明する。
図１乃至図８に記載した洗面ボウルは、以下に記載した槽体１と、排水口２と、オーバーフロー孔４と、オーバーフロー流路５と、合流部６と、収納スペース８と、から成り、その他の部材として、排水トラップ９と、から構成されてなる。
槽体１は、内部に排水を貯水／排水させるための洗面ボウルである。
排水口２は、槽体１の底部に開口された穴であって、当該排水口２から槽体１内の排水を下水へと排水させるための開口である。尚、後述する排水栓を当該排水口２に配置して構成する。
オーバーフロー孔４は、槽体１上方へ向けて開口に開口した穴であって、槽体１内の排水が槽体１からあふれ出すことを防止するための開口である。後述するオーバーフロー流路５を連設して構成される。
オーバーフロー流路５は、オーバーフロー孔４に連設される流路であって、前記槽体１に一体的に構成されるとともに、槽体１に沿うように配置される。
排水管３は、排水口２から下水へと接続して成り、槽体１内の排水を最終的には下水へと排水する為の管体である。尚、当該排水管３は、排水口２の直下位置で側面方向に屈曲し、さらにその屈曲後、後述するオーバーフロー流路５との合流部６を構成した後、下方へ再度屈曲する構成としている。そして、当該排水管３の下端には後述する排水トラップ９を接続して成る。
また、排水管３の側面方向への屈曲部分７の下方を、後述する遠隔操作式排水栓装置１２の収納スペース８とする。
合流部６は、オーバーフロー孔４及びオーバーフロー流路５からの排水を排水管３へと合流させる箇所であって、本実施例では、排水管３の側面方向への屈曲部分７の直上に形成される。
排水トラップ９は、下水からの臭気や害虫が室内側へ逆流しないように機能し、当該実施例においては、排水管３の下端に接続される。そして、排水トラップ９の側面方向へ向かって排出口１６を構成し、当該排出口１６の高さを通水上限壁１０とする。更には、前記排水管３の下端を通水下限壁１１として構成し、両者が揃うことで排水トラップ９機能を備える。
このような構成の洗面ボウルとしたことから、インジェクション成型を行うことが出来る構造となる。
【００２２】
このように構成される洗面ボウルは、以下のように形成される。
洗面ボウルのインジェクション成形用に金型１５を図８に示したように構成する。そして、この金型１５は、左右上下の入れ子式の金型構造と成っている。
また、材質的には、シンジオタクチックポリスチレンや、スチレンエラストマー、環状オレフィン樹脂（ポリエチルメンテン）、ポリアクリルニトリル等から構成される。
この材質の特性としては、耐熱性・耐薬性が比較的あり、また、その他にも引っ掻きによる傷つきを防止することが出来る材質である。このような材質としたことで、洗面ボウルに通常求められる性能を満たすことが出来る。
【００２３】
前記のように構成・形成された洗面ボウルは、以下の手順で施工される。
槽体１を壁面や化粧台に取り付け、洗面ボウルの排水管３の途中位置に排水トラップ９を接続させ、最終的には排水管３を下水管へ接続させることで施工が完了する。
【００２４】
また、上記のように施工・構成された洗面ボウルは、以下のような排水の経路となる。
槽体１内の排水は、排水口２から排水され、排水管３、排水トラップ９の通水下限壁１１、通水上限壁１０を経由して、排出口１６から排出され、最終的には下水へと排水される。
また、槽体１内の排水の一部は、オーバーフロー孔４から排水されるが、当該排水の流れは以下のように排水される。オーバーフロー孔４に流入した排水は、オーバーフロー流路５内を通過し、合流部６に到達する。合流部６から排水管３内へ、そして排水トラップ９の通水下限壁１１、通水上限壁１０を経由して、排出口１６から排出され、最終的には下水へと排水される。
【００２５】
また、本実施例の洗面ボウルには、以下に示す遠隔操作式排水栓装置１２が構成される。
本従来例での遠隔操作式排水栓装置１２は、弁体と、操作部１３と、電磁機構部１４と、から構成される。
弁体１７は、上記排水栓の排水口２を閉口する部材であって、後述する電磁機構部１４による電磁力により上下動し、排水口２を開口／閉口する部材である。
操作部１３は洗面台や浴槽などのカウンターなど、任意の部分に配置される部材であって、操作ボタンを押し込む事で電磁機構部１４を動作させ、排水口２を開口した状態に固定／固定を解除して排水口２内の弁体１７の開閉動作を行う部材である。
電磁機構部１４は、電磁力を発生させる機構であって、当該電磁力により前記弁体１７を押し上げる機構となっている。
【００２６】
前記した遠隔操作式排水栓装置１２は前記した洗面ボウルに以下のように配置される。
弁体は、洗面ボウルの排水口２に配置される。また、洗面ボウルの収納スペース８に電磁機構部１４を配置して構成する。
このように洗面ボウルに遠隔操作式排水栓装置１２を配置したことから、従来の遠隔操作式排水栓装置１２に比較して、レリースワイヤなどの機器が洗面ボウル下の収納部から排除されるため、無駄な空間の削除とすることができる。
【００２７】
前記した洗面ボウルに取り付けられた遠隔操作式排水栓装置１２は以下のように作動する。
弁体が下降（排水口２が閉口）した状態の時、操作部１３を押すと、電磁機構部１４に操作が伝達され、電磁力により弁体が上昇し保持される。
そして、再度操作部１３を押すと、電磁機構部１４に再度操作が伝達されて、電磁機構部１４の電磁力が解除され、弁体は自重により下降（排水口２が閉口）することができる。
この作動の繰り返しにより、排水口２の開口／閉口を遠隔的に操作することができる。
このように洗面ボウルに遠隔操作式排水栓装置１２を配置したことから、従来の遠隔操作式排水栓装置１２に比較して、レリースワイヤなどの機器が洗面ボウル下の収納部から排除されるため、無駄な空間の削除とすることができる。
【００２８】
本発明の実施例は上記のようであるが、本発明は上記実施例に限定されることなく、発明の要旨を逸脱することない範囲において、自在に変更することができる。
例えば、前記実施例では電磁機構を用いた遠隔操作式排水栓装置１２を使用しているが、例えば従来より公知のレリースワイヤを用いた遠隔操作式排水栓装置１２を採用しても構わない。
【図面の簡単な説明】
【００２９】
【図１】本発明の洗面ボウルの斜視図である。
【図２】本発明の洗面ボウルの上面図である。
【図３】本発明の洗面ボウルの図２におけるＡ−Ａ’断面図である。
【図４】本発明の洗面ボウルの図２におけるＢ−Ｂ’断面図である。
【図５】本発明の洗面ボウルの側面図である。
【図６】本発明の洗面ボウルの側面図である。
【図７】本発明の洗面ボウルの正面図である。
【図８】本発明の洗面ボウルの金型構造を示す簡略図である。
【図９】第１従来例の洗面ボウルの断面図である。
【図１０】第１従来例の洗面ボウルの合流部付近の部分断面図である。
【図１１】第２従来例の洗面ボウルの断面図である。
【図１２】第３従来例の洗面ボウルに取り付けられる遠隔操作式排水栓装置の断面図である。
【符号の説明】
【００３０】
１    槽体
２    排水口
３    排水管
４    オーバーフロー孔
５    オーバーフロー流路
６    合流部
７    屈曲部分
８    収納スペース
９    排水トラップ
１０  通水上限壁
１１  通水下限壁
１２  遠隔操作式排水栓装置
１３  操作部
１４  電磁機構部
１５  金型
１６  排出口
１７  弁体
【図１】
2007255024.tif 000003
【図２】
2007255024.tif 000004
【図３】
2007255024.tif 000005
【図４】
2007255024.tif 000006
【図５】
2007255024.tif 000007
【図６】
2007255024.tif 000008
【図７】
2007255024.tif 000009
【図８】
2007255024.tif 000010
【図９】
2007255024.tif 000011
【図１０】
2007255024.tif 000012
【図１１】
2007255024.tif 000013
【図１２】
2007255024.tif 000014